(57)【要約】【課題】ペットの状況に応じて、ペットを快適に過ごさせることができるサービスを提供することが可能となる。【解決手段】情報処理装置において、ペットの状態、または前記ペットの周囲の環境を示す情報を取得する取得部と、前記取得された前記ペットの状態、または前記環境を示す情報に応じて、前記ペットの周囲に設置される機器を制御する制御部と、を備える。【選択図】図３
2018064471.tif 000002
【特許請求の範囲】
【請求項１】
ペットの状態、または前記ペットの周囲の環境を示す情報を取得する取得部と、
前記取得された前記ペットの状態、または前記環境を示す情報に応じて、前記ペットの周囲に設置される機器を制御する制御部と、
を備えることを特徴とする情報処理装置。
【請求項２】
前記制御部は、前記ペットの状態が、鳴いている状態、又はいたずらしている状態である場合、
所定のコンテンツを再生させることを特徴とする請求項１記載の情報処理装置。
【請求項３】
前記制御部は、前記所定のコンテンツを再生した後、鳴いている状態、又はいたずらしている状態が継続している場合、異常を報知することを特徴とする請求項２記載の情報処理装置。
【請求項４】
前記制御部は、前記ペットの状態、及び前記ペットの周囲の室温に応じて、室内の冷房又は暖房の運転を制御する
ことを特徴とする請求項１乃至３のいずれか一項に記載の情報処理装置。
【請求項５】
前記制御部は、前記ペットの状態、及び前記ペットの周囲の室温に応じて、室内の冷房又は暖房の運転の強度を決定する
ことを特徴とする請求項４に記載の情報処理装置。
【請求項６】
前記制御部は、前記ペットの周囲の照度が所定の閾値よりも低い場合、部屋の内と外との間を遮蔽する遮蔽装置を閉めるよう制御し、
前記照度が前記所定の閾値よりも低い場合、所定のレシピを提供する提供部を備える
ことを特徴とする請求項１乃至５のいずれか一項に記載の情報処理装置。
【請求項７】
前記提供部は、前記ペットの状態または前記ペットの周囲の室温に応じたレシピを提供する
ことを特徴とする請求項６記載の情報処理装置。
【請求項８】
前記制御部は、リモコンコマンドにより前記機器を制御し、前記ペットの周囲の環境が、前記リモコンコマンドにより指定された環境に向かって変化しない場合、前記リモコンコマンドを再送する
ことを特徴とする請求項１乃至７のいずれか一項に記載の情報処理装置。
【請求項９】
情報処理装置が、
ペットの状態、または前記ペットの周囲の環境を取得するステップと、
前記取得された前記状態、または前記環境に応じて、前記ペットの周囲に設置される機器を制御するステップと、
を実行することを特徴とする情報処理方法。
【請求項１０】
情報処理装置に、
ペットの状態、または前記ペットの周囲の環境を取得するステップと、
前記取得された前記状態、または前記環境に応じて、前記ペットの周囲に設置される機器を制御するステップと、
を実行させるプログラム。
【発明の詳細な説明】
【技術分野】
【０００１】
本発明は、情報処理装置、情報処理方法、及びプログラムに関する。
【背景技術】
【０００２】
従来、自宅に設置されたカメラの映像を、スマートフォン等の端末に表示させ、ペットの見守りを行う技術が知られている。
【０００３】
特許文献１には、ペットの体温、心拍数、呼吸数、歩数、運動量、行動範囲等の状態情報、室温情報、および湿度情報などを利用して、エアコンを自動制御することが記載されている。
【先行技術文献】
【特許文献】
【０００４】
【特許文献１】特開２００６−０４２６７０号公報
【発明の概要】
【発明が解決しようとする課題】
【０００５】
しかしながら、特許文献１記載の技術では、例えばペットが病気のため体温が高い場合でも、冷房運転をしてしまう可能性がある。
【０００６】
そこで、ペットの状況に応じて、ペットを快適に過ごさせることができるサービスを提供できる技術を提供することを目的とする。
【課題を解決するための手段】
【０００７】
情報処理装置において、ペットの状態、または前記ペットの周囲の環境を示す情報を取得する取得部と、前記取得された前記ペットの状態、または前記環境を示す情報に応じて、前記ペットの周囲に設置される機器を制御する制御部と、を備える。
【発明の効果】
【０００８】
開示の技術によれば、ペットの状況に応じて、ペットを快適に過ごさせることができるサービスを提供することが可能となる。
【図面の簡単な説明】
【０００９】
【図１】実施形態に係るサービス提供システムの構成例を示す図である。
【図２】実施の形態に係る情報処理装置のハードウェア構成例を示す図である。
【図３】実施形態に係る情報処理装置の機能構成の一例を示す図である。
【図４】遠隔操作画面の表示例を示す図である。
【図５】実施形態に係るサービス提供システムのペットの異常時の処理の一例を示すシーケンス図である。
【図６】実施形態に係るサービス提供システム１の室温調整処理の一例を示すシーケンス図である。
【図７】実施形態に係るサービス提供システム１の所定時間帯の処理の一例を示すシーケンス図である。
【発明を実施するための形態】
【００１０】
以下、図面に基づいて本発明の実施形態を説明する。図１は、実施形態に係るサービス提供システム１の構成例を示す図である。図１において、サービス提供システム１は、情報処理装置１０、制御装置２０、照度センサ３０、マイク４０、カメラ５０、室温調整機器６０、照明器具７０、遮蔽装置８０、及び音響機器９０を備える。
【００１１】
情報処理装置１０と制御装置２０は、例えば、インターネット、携帯電話網等の通信網や、無線ＬＡＮ（Ｌｏｃａｌ  Ａｒｅａ  Ｎｅｔｗｏｒｋ）、Ｂｌｕｅｔｏｏｔｈ（登録商標）等の近距離無線通信により通信可能に接続される。
【００１２】
情報処理装置１０と、照度センサ３０、マイク４０、またはカメラ５０との間は、有線または無線により通信可能に接続される。
【００１３】
情報処理装置１０は、例えば、サーバ、パーソナルコンピュータ、スマートフォン、タブレット等の装置である。情報処理装置１０は、自動又は手動で、制御装置２０を介して、室温調整機器６０、照明器具７０、遮蔽装置８０、及び音響機器９０等の各種機器の制御を行う。
【００１４】
制御装置２０は、例えばネットワーク接続可能な学習リモコンである。制御装置２０は、例えば、赤外線のリモコンコマンドを学習しておき、情報処理装置１０からの指示に従い、リモコンコマンドをユーザ宅に設置されている制御装置２０は、室温調整機器６０、照明器具７０、及び遮蔽装置８０に送信する。
【００１５】
照度センサ３０は、ユーザ宅の照度を検出し、検出した照度を情報処理装置１０に送信する。マイク４０は、ユーザ宅における音を検出し、検出した音データを情報処理装置１０に送信する。カメラ５０、ユーザ宅における画像を撮影し、撮影した画像データを情報処理装置１０に送信する。
【００１６】
室温調整機器６０は、例えばエアコンや床暖房であり、制御装置２０から受信したリモコンコマンドに従った暖房または冷房等の運転を行う。
【００１７】
照明器具７０は、制御装置２０から受信したリモコンコマンドに従い、照明のオン、オフを行う。
【００１８】
遮蔽装置８０は、例えばカーテンやシャッターであり、制御装置２０から受信したリモコンコマンドに従い、開閉を行う。
【００１９】
＜ハードウェア構成＞
図２は、実施の形態に係る情報処理装置１０のハードウェア構成例を示す図である。図２の情報処理装置１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００２０】
情報処理装置１０での処理を実現する情報処理プログラムは、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。  
メモリ装置１０３は、プログラムの起動指示があった場合に、補助記憶装置１０２からプログラムを読み出して格納する。ＣＰＵ１０４は、メモリ装置１０３に格納されたプログラムに従って情報処理装置１０に係る機能を実現する。インタフェース装置１０５は、ネットワークに接続するためのインタフェースとして用いられる。表示装置１０６はプログラムによるＧＵＩ（Graphical  User  Interface）等を表示する。入力装置１０７はタッチパネル及びボタン等、またはキーボード及びマウス等で構成され、様々な操作指示を入力させるために用いられる。
【００２１】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard  Disk  Drive）又はフラッシュメモリ等が挙げられる。記録媒体１０１及び補助記憶装置１０２のいずれについても、コンピュータ読み取り可能な記録媒体に相当する。
【００２２】
＜機能構成＞
次に、図３を参照し、実施形態に係る情報処理装置１０の機能構成について説明する。図３は、実施形態に係る情報処理装置１０の機能構成の一例を示す図である。
【００２３】
情報処理装置１０は、遠隔操作部１１、機器管理部１２、状態判定部１３、取得部１４、制御部１５、提供部１６、及び通信部１７を備える。これら各部は、情報処理装置１０にインストールされた１以上のプログラムが、情報処理装置１０のＣＰＵ１０４に実行させる処理により実現される。
【００２４】
遠隔操作部１１は、ユーザから、各種機器を遠隔操作するための操作を受け付ける。遠隔操作部１１は、ユーザからの各種機器に対する運転指示の操作に応じて、制御装置２０を介して、各種機器の制御を行う。
【００２５】
図４を参照し、遠隔操作部１１による操作方法について説明する。図４は、遠隔操作画面の表示例を示す図である。図４（Ａ）は、ペットが存在するユーザ宅における状態を表示する画面例を示す図である。「自動快適モード」ボタン５０１は、情報処理装置１０が自動で各種機器の制御を行う「自動快適モード」のオンまたはオフを設定するボタンである。
【００２６】
アイコン５０２は、室温調整機器６０の運転状態を表示するアイコンである。アイコン５０３は、照明器具７０の運転状態を表示するアイコンである。アイコン５０４は、音響機器９０の運転状態を表示するアイコンである。アイコン５０５は、遮蔽装置８０の運転状態を表示するアイコンである。アイコン５０６は、ペットの状態を表示するアイコンである。アイコン５０３乃至アイコン５０５が例えば押下操作されると、それぞれ室温調整機器６０、照明器具７０、音響機器９０、遮蔽装置８０の運転操作ダイアログが表示される。運転操作ダイアログにて、ユーザからオン／オフ、温度設定等の操作がされると、情報処理装置１０から制御装置２０を介して、操作対象の機器へリモコンコマンドが送信される。
【００２７】
図４（Ｂ）は、ペットが存在するユーザ宅における状態を表示する画面例を示す図である。操作項目５１０は、「自動快適モード」が開始される時間と、終了される時間を設定するための項目である。操作項目５１１は、情報処理装置１０が「自動快適モード」において自動で制御を行う対象の機器を選択するための操作項目である。例えば、室温調整機器６０、照明器具７０、遮蔽装置８０、及び音響機器９０等の各種機器のうち、自動で制御を行う機器がユーザにより選択される。
【００２８】
機器管理部１２は、室温調整機器６０、照明器具７０、遮蔽装置８０、及び音響機器９０等の各種機器の運転状態を管理する。機器管理部１２は、例えば、制御装置２０を介して各種機器に送信されたリモコンコマンドの履歴を記憶しておき、当該履歴に基づいて、現在の各種機器の運転状態を管理する。
【００２９】
状態判定部１３は、マイク４０、及びカメラ５０から取得した音声及び画像に基づいて、ペットの状態を判定する。状態判定部は、例えばペットが鳴いている状態か否か、いたずらしている状態か否か、寝ている状態か否か、ぐったりしている状態か否か等を判定する。
【００３０】
例えば、所定の音量以上の鳴き声を、第１の所定期間において所定回数以上検出した場合に、ペットが鳴いている状態であると判定されてもよい。また、画像から判定されたペットが動きの大きさが第１の所定値以上であり、当該動きに伴い検出された音が所定の音量以上である場合に、いたずらしている状態であると判定されてもよい。また、画像から判定されたペットが動きの大きさが第２の所定値未満であり、第１の所定期間において所定の音量以上の音が検出されない場合に、寝ている状態であると判定されてもよい。また、画像から判定されたペットが動きの大きさが第２の所定値未満であり、第１の所定期間において所定の音量以上の鳴き声等が検出された場合に、ぐったりしている状態であると判定されてもよい。なお、状態判定部は、公知の画像認識技術や、ペットの首輪等に設置される振動センサに基づいて、ペットの状態を判定してもよい。
【００３１】
取得部１４は、状態判定部１３に判定されたペットの状態を取得する。また、取得部１４は、照度センサ３０により検出された室内の照度や、制御装置２０に内蔵される温度センサにより検出されたユーザ宅の室温等である、ペットの周囲の環境を示す情報を取得する。
【００３２】
制御部１５は、取得部１４により取得された、ペットの状態、及びペットの周囲の環境を示す情報に応じて、室温調整機器６０、照明器具７０、遮蔽装置８０、及び音響機器９０等の各種機器を制御する。また、制御部１５は、リモコンコマンドにより各種機器を制御し、ペットの周囲の環境が、リモコンコマンドにより指定された環境に向かって変化しない場合、当該リモコンコマンドを再送する。
【００３３】
提供部１６は、取得部１４により取得された、ペットの状態、及びペットの周囲の環境に応じた料理のレシピをユーザに提供する。
【００３４】
通信部１７は、制御装置２０等との通信を行う。
【００３５】
＜処理＞
≪ペットの異常時の処理≫
次に、図５を参照し、実施形態に係るサービス提供システム１のペットの異常時の処理について説明する。図５は、実施形態に係るサービス提供システム１のペットの異常時の処理の一例を示すシーケンス図である。
【００３６】
ステップＳ１０１において、情報処理装置１０の状態判定部１３は、例えば、マイク４０やカメラ５０から取得した情報に基づいて、鳴いている状態、又はいたずらしている状態であることを検出する。
【００３７】
続いて、情報処理装置１０の制御部１５は、現在時刻において「自動快適モード」の設定がオンであるか否かを判定する（ステップＳ１０２）。
【００３８】
現在時刻において「自動快適モード」の設定がオンでない場合（ステップＳ１０２でＮＯ）、情報処理装置１０の制御部１５は、例えば遠隔操作部１１により、ユーザにその旨を報知する（ステップＳ１０３）。例えば、情報処理装置１０は、図４（Ａ）の遠隔操作画面において、ペットの状態を表示するアイコン５０６を、ペットが鳴いているイラストのアイコンに変更して表示する。または、カメラ５０で撮影された動画または静止画である画像を表示し、ユーザが宅内の様子を確認できるようにしてもよい。
【００３９】
続いて、情報処理装置１０の制御部１５は、遠隔操作部１１により、ユーザからコンテンツの再生を指示する操作を受け付ける（ステップＳ１０４）。なお、ユーザから当該操作を受け付けなかった場合は処理を終了してもよい。
【００４０】
続いて、情報処理装置１０の制御部１５は、ユーザから指定されたコンテンツを、音響機器９０に再生させ（ステップＳ１０５）、後述するステップＳ１０７の処理に進む。
【００４１】
現在時刻において「自動快適モード」の設定がオンである場合（ステップＳ１０２でＹＥＳ）、情報処理装置１０の制御部１５は、楽曲、オーディオブック、予め録音されている飼い主の音声等のコンテンツを、音響機器９０に再生させる（ステップＳ１０６）。
【００４２】
続いて、情報処理装置１０の制御部１５は、鳴いている状態、又はいたずらしている状態が継続しているか否かを判定する（ステップＳ１０７）。
【００４３】
鳴いている状態、又はいたずらしている状態が継続している場合（ステップＳ１０７でＮＯ）、ステップＳ１０３の処理に進む。
【００４４】
鳴いている状態、又はいたずらしている状態が継続していない場合（ステップＳ１０７でＹＥＳ）、情報処理装置１０の制御部１５は、例えば遠隔操作部１１により、ユーザにその旨を報知する（ステップＳ１０８）。例えば、情報処理装置１０は、図４（Ａ）の遠隔操作画面において、ペットの状態を表示するアイコン５０６を、ペットが通常の状態を示すイラストのアイコンに変更して表示する。
【００４５】
これにより、ユーザは例えば図４（Ａ）の遠隔操作画面において、ペットの状態に応じて、各種機器を操作することができる。また、ユーザがペットの世話を行う駆け付けサービスを契約している場合は、駆け付けサービスのサービスセンターに連絡してもよい。
【００４６】
≪室温調整処理≫
次に、図６を参照し、実施形態に係るサービス提供システム１の室温調整処理について説明する。図６は、実施形態に係るサービス提供システム１の室温調整処理の一例を示すシーケンス図である。
【００４７】
ステップＳ２０１において、情報処理装置１０の取得部１４は、室温が所定の範囲（例えば１６℃から２２℃）外になったことを検知する。例えば、制御装置２０に内蔵される温度センサにより、ユーザ宅の室温が取得される。
【００４８】
続いて、情報処理装置１０の状態判定部１３は、ペットの状態を判定する（ステップＳ２０２）。例えば、情報処理装置１０は、カメラ５０から取得した画像や、ペットの首輪等に設けられたセンサの情報から、ペットの状態を判定する。カメラ５０から取得した画像を用いて判定する場合、例えば、公知の画像認識技術を用いてペットの状態を判定してもよい。
【００４９】
続いて、情報処理装置１０の制御部１５は、現在時刻において「自動快適モード」の設定がオンであるか否かを判定する（ステップＳ２０３）。
【００５０】
現在時刻において「自動快適モード」の設定がオンでない場合（ステップＳ２０３でＮＯ）、情報処理装置１０の制御部１５は、例えば遠隔操作部１１により、ユーザに室温が所定の範囲外になったこと、及びペットの状態を報知する（ステップＳ２０４）。例えば、情報処理装置１０は、図４（Ａ）の遠隔操作画面において、ペットの状態を表示するアイコン５０６を、室温が所定の範囲より高ければ、ペットが暑がっているイラストのアイコンに変更して表示する。または、カメラ５０で撮影された動画または静止画である画像を表示し、ユーザが宅内の様子を確認できるようにしてもよい。
【００５１】
これにより、ユーザは例えば図４（Ａ）の遠隔操作画面において、ペットの状態に応じて、各種機器を操作することができる。また、ユーザがペットの世話を行う駆け付けサービスを契約している場合は、駆け付けサービスのサービスセンターに連絡してもよい。
【００５２】
続いて、情報処理装置１０の制御部１５は、遠隔操作部１１により、ユーザから室温の調整を指示する操作を受け付ける（ステップＳ２０５）。なお、ユーザから当該操作を受け付けなかった場合は処理を終了してもよい。
【００５３】
続いて、情報処理装置１０の制御部１５は、ユーザからの操作に従って、室温調整機器６０を制御し（ステップＳ２０６）、後述するステップＳ２０８の処理に進む。
【００５４】
現在時刻において「自動快適モード」の設定がオンである場合（ステップＳ２０３でＹＥＳ）、情報処理装置１０の制御部１５は、室温及びペットの状態に基づいて、室温調整機器６０を制御する（ステップＳ２０７）。例えば、室温が所定の閾値（例えば１６℃）より低く、ペットの状態が小さく丸まって震えている状態と判定された場合、比較的強い強度（例えば風量「大」、設定温度「高」）で暖房運転を開始させる。室温が所定の閾値（例えば１６℃）より低い場合であっても、ペットの状態が正常である場合は、比較的弱い強度で暖房運転を開始させる。
【００５５】
また、例えば、室温が所定の閾値（例えば２２℃）より高く、ペットの状態がぐったりしている状態と判定された場合、比較的強い強度（例えば風量「大」、設定温度「低」）で冷房運転を開始させる。室温が所定の閾値（例えば２２℃）より高い場合であっても、ペットの状態が正常である場合は、比較的弱い強度で冷房運転を開始させる。
【００５６】
また、情報処理装置１０は、例えばカメラ５０から取得した画像や、例えば制御装置２０に設けられたステレオマイクでペットが存在する部屋を検知し、当該部屋に設置された室温調整機器６０を制御するようにしてもよい。
【００５７】
続いて、情報処理装置１０の制御部１５は、室温が、室温調整機器６０に送信したリモコンコマンドで指定した設定温度に向かって変化しているか否か判定する（ステップＳ２０８）。例えば、リモコンコマンドを送信した際の室温が１６℃で、リモコンコマンドで指定した設定温度が２２℃の場合、所定時間（例えば５分）以内に室温が所定の温度（例えば１℃）以上上昇したか否かを判定する。
【００５８】
室温が指定した設定温度に向かって変化していない場合（ステップＳ２０８でＮＯ）、リモコンコマンドの送受信が失敗したと見なせるため、情報処理装置１０の制御部１５は、前回送信したリモコンコマンドを室温調整機器６０に再送信する（ステップＳ２０９）。なお、指定した設定温度に向かって変化していない場合、情報処理装置１０の制御部１５は、その旨を例えば遠隔操作部１１によりユーザに報知してもよい。この場合、ユーザから手動で再操作等を行えるようにしてもよい。また、情報処理装置１０の制御部１５は、リモコンコマンドを室温調整機器６０に再送信した後、室温が指定した設定温度に向かって変化していない場合、その旨を例えば遠隔操作部１１によりユーザに報知してもよい。
【００５９】
室温が指定した設定温度に向かって変化している場合（ステップＳ２０８でＹＥＳ）、情報処理装置１０の制御部１５は、その旨を例えば遠隔操作部１１によりユーザに報知し（ステップＳ２１０）、処理を終了する。なお、情報処理装置１０の制御部１５は、室温が、室温調整機器６０に送信したリモコンコマンドで指定した設定温度となった際に、その旨、および現在のペットの状態を例えば遠隔操作部１１によりユーザに報知してもよい。
【００６０】
≪所定時間帯の処理≫
次に、図７を参照し、実施形態に係るサービス提供システム１の所定時間帯の処理について説明する。図７は、実施形態に係るサービス提供システム１の所定時間帯の処理の一例を示すシーケンス図である。
【００６１】
ステップＳ３０１において、情報処理装置１０の制御部１５は、例えば予め設定された時間帯（例えば１７：００−１９：００の時刻）になると、現在時刻において「自動快適モード」の設定がオンである場合、例えば定期的に、照度センサ３０から取得した室内の照度が所定の範囲内であるか否かを判定する。
【００６２】
室内の照度が、所定の範囲内でない場合（ステップＳ３０１でＮＯ）、まだ陽が落ちていないため明るい、ユーザがカーテン又はシャッターを閉めて照明をつけていないため暗い、またはユーザが照明をつけているため明るいと考えられるため、処理を終了する。
【００６３】
室内の照度が、所定の範囲内である場合（ステップＳ３０１でＹＥＳ）、ユーザが外出しており、ユーザがカーテン又はシャッターを閉めず、かつ照明をつけていないため薄暗いと考えられるため、情報処理装置１０の制御部１５は、遮蔽装置８０を閉めるよう制御装置２０に指示する（ステップＳ３０２）。なお、室内の照度が所定の範囲内である場合の代わりに、室内の照度が所定の閾値以下である場合に、ステップＳ３０２の処理を行うようにしてもよい。
【００６４】
続いて、情報処理装置１０の状態判定部１３は、ペットの状態が、寝ている状態であるか否かを判定する（ステップＳ３０３）。例えば、情報処理装置１０は、カメラ５０から取得した画像や、ペットの首輪等に設けられたセンサの情報から、ペットが寝ている状態であるか否かを判定する。
【００６５】
寝ている状態である場合（ステップＳ３０３でＹＥＳ）、後述するステップＳ３０５の処理に進む。これにより、ペットが寝ている場合には、照明をオンにしないため、ペットを起こさないようにすることができる。
【００６６】
寝ている状態でない場合（ステップＳ３０３でＮＯ）、情報処理装置１０の制御部１５は、照明器具７０をオンにするよう制御装置２０に指示する（ステップＳ３０４）。
【００６７】
続いて、情報処理装置１０の提供部１６は、ペットの状態、及びペットの周囲の環境に応じて、お勧めの料理のレシピを選択する（ステップＳ３０５）。例えば、ペットの状態がぐったりした状態であり、かつ室温またはペットの体温が所定値以上の場合は、夏バテに効く料理のレシピが選択される。
【００６８】
続いて、情報処理装置１０の提供部１６は、選択されたレシピを、ユーザに通知する（ステップＳ３０６）。これにより、外出していると推定されるユーザに、ペットの状況に応じたレシピの食材等の買い物をして帰るように促すことができる。
【００６９】
＜変形例＞
情報処理装置１０は、例えば制御装置２０を介して、加湿器、アロマ装置、給餌器、給水器、電子レンジ等の機器を自動又は手動で制御してもよい。この場合、情報処理装置１０は、例えば、上述した室温等に応じた室温調整機器６０の制御と同様に、湿度等に応じて加湿器を制御してもよい。また、情報処理装置１０は、例えば、上述したペットの状態が、鳴いている状態、又はいたずらしている状態である場合の音響機器９０の制御と同様に、アロマ装置、給餌器、給水器等を制御してもよい。また、情報処理装置１０は、例えば、上述したレシピをユーザに通知した場合に、例えばオーブンの予熱や、ペット用のレシピを調理するための制御を電子レンジ等に行ってもよい。
【００７０】
＜まとめ＞
上述した実施形態によれば、ペットの状態やペットの周囲の環境を示す情報に応じて、ペットの周囲に設置される機器を制御する。これにより、ペットの状況に応じて、ペットを快適に過ごさせることができるサービスを提供することが可能となる。
【００７１】
以上、本発明の実施例について詳述したが、本発明は斯かる特定の実施形態に限定されるものではなく、特許請求の範囲に記載された本発明の要旨の範囲内において、種々の変形・変更が可能である。
【００７２】
例えば、状態判定部１３、取得部１４、制御部１５、及び提供部１６の少なくとも一つは、１以上のコンピュータにより構成されるクラウドコンピューティングにより実現されていてもよい。または、状態判定部１３、取得部１４、制御部１５、及び提供部１６の少なくとも一つは、制御装置２０側に設けた構成としてもよい。
【００７３】
制御装置２０は、照度センサ３０、マイク４０、カメラ５０を内蔵する装置として構成してもよい。
【００７４】
上述した実施形態における情報処理装置１０の一部、または全部を、ＬＳＩ（Ｌａｒｇｅ  Ｓｃａｌｅ  Ｉｎｔｅｇｒａｔｉｏｎ）等の集積回路として実現してもよい。情報処理装置１０の各機能ブロックは個別にプロセッサ化してもよいし、一部、または全部を集積してプロセッサ化してもよい。
【符号の説明】
【００７５】
１  サービス提供システム
１０  情報処理装置
１１  遠隔操作部
１２  機器管理部
１３  状態判定部
１４  取得部
１５  制御部
１６  提供部
１７  通信部
２０  制御装置
３０  照度センサ
４０  マイク
５０  カメラ
６０  室温調整機器
７０  照明器具
８０  遮蔽装置
【図１】
2018064471.tif 000003
【図２】
2018064471.tif 000004
【図３】
2018064471.tif 000005
【図４】
2018064471.tif 000006
【図５】
2018064471.tif 000007
【図６】
2018064471.tif 000008
【図７】
2018064471.tif 000009